(57)【特許請求の範囲】
【請求項１】
容量可変型圧縮機のケーシングに設けられた取付孔に挿入されて装着される容量制御弁であって、
前記容量制御弁は、少なくとも、容量制御弁のケーシング、前記容量制御弁のケーシングの端部に設けられる端部部材及びシールリップを備え、
前記シールリップは基部及びリップ部を有し、
前記基部は前記端部部材と前記容量制御弁のケーシングとの間に挟着され、
前記リップ部は前記取付孔の内周面に当接されることを特徴とする容量制御弁。
【請求項２】
前記リップ部の内部側の面は前記容量制御弁のケーシングに接離自在に支持されていることを特徴とする請求項１に記載の容量制御弁。
【請求項３】
前記シールリップは断面が略Ｌ字の形状をしていることを特徴とする請求項１又は請求項２に記載の容量制御弁。
【請求項４】
前記リップ部は、前記取付孔の内周面に直交する方向に配設されることを特徴とする請求項１ないし請求項３のいずれか1項に記載の容量制御弁。
【請求項５】
前記リップ部は、その先端が前記取付孔の外部側に向くように傾斜して配設され、前記リップ部の傾斜される側の面と前記端部部材の外周部との間に間隙が設けられることを特徴とする請求項１ないし請求項３のいずれか１項に記載の容量制御弁。
【請求項６】
前記リップ部の前記外部側に傾斜される側の面には突起が設けられ、前記突起は前記端部部材の外周部に当接されることを特徴とする請求項５に記載の容量制御弁。
【請求項７】
前記シールリップは、ゴム材料から形成されることを特徴とする請求項１ないし６のいずれか１項に記載の容量制御弁。
【発明の詳細な説明】
【技術分野】
【０００１】
本発明は、作動流体の流量又は圧力を可変制御する容量制御弁に関し、例えば、自動車等の空調システムに用いられる容量可変型圧縮機等の吐出量を圧力負荷に応じて制御する容量制御弁に関する。
背景技術
【０００２】
例えば、図５に示すように、容量可変型圧縮機の吐出量を圧力負荷に応じて制御する容量制御弁５０は、金属材料又は樹脂材料により形成された弁ハウジング５１、弁ハウジング５１内に往復動自在に配置された弁体５２、弁体５２を一方向に付勢する感圧体５３、弁ハウジング５１に接続されて弁体５２に電磁駆動力を及ぼすソレノイド５４等を備えている。
ソレノイド５４は、弁ハウジング５１に連結されるケーシング５５、ケーシング５５の上部開口部を封止するように設けられた端部部材５６、一端部が閉じたスリーブ５７、ケーシング５５及びスリーブ５７の内側に配置された円筒状の固定鉄芯５８、固定鉄芯５８の内側において往復動自在にかつその先端が弁体５２に連結された駆動ロッド５９、駆動ロッド５９の他端側に固着された可動鉄芯６０、可動鉄芯６０を付勢するコイルスプリング６１、スリーブ５７外側にボビンを介して巻回された励磁用のコイル６２、等を備えている。ケーシング５５と端部部材５６とは、ケーシング５５の上端をカシメることにより一体的に結合されるものであり、両者の間にはＯリング７８が設けられソレノイド５４の内部がシールされている。
また、弁ハウジング５１は、吐出側通路の途中に形成された第１弁室６５、吸入側通路の途中に形成された第２弁室６６及び容量可変型圧縮機の制御室（図示省略）寄りに形成された第３弁室６７等を備えている。
なお、Ｐｓは吸入圧力、Ｐｄは吐出圧力、Ｐｃは制御室圧力を示している。
【０００３】
このような容量制御弁５０は、容量可変型圧縮機のケーシング７０に形成された取付孔７１に挿入され、Ｃリング７４を取付孔７１の開口端部に取り付けることにより固定される。その状態において、第１弁室６５、第２弁室６６及び第３弁室６７の各ポート６５ａ、６６ａ及び６７ａがケーシング７０内の冷媒通路に連通される。また、各ポート６５ａ、６６ａ及び６７ａをシールするため、弁ハウジング５１の凹部に第１のＯリング６８及び第２のＯリング６９が嵌着されるとともに、ケーシング５５の凹部に第３のＯリング７２が嵌着される。そして、ケーシング５５と端部部材５６との接続部であってケーシング５５の上端部外周に第４のＯリング７３が配設され、該Ｏリング７３と取付孔７１の内周面との間の接触により、外部からの水、泥等の流入（矢印７５参照）を防止するようにした発明が知られている（以下、「従来技術１」という。例えば、特許文献１参照。）。
【０００４】
また、従来技術１の第４のＯリング７３に代えて、取付孔７１の開口端部に対向するようにして端部部材５６の外周側に弾性変形自在であってリップ状のシール部材が一体成形により設けられた発明も知られている（以下、「従来技術２」という。例えば、特許文献２参照。）。
【先行技術文献】
【特許文献】
【０００５】
【特許文献１】特開２００９−２８１４０８号公報
【特許文献２】特開２０１０−１９６７９４号公報
【発明の概要】
【発明が解決しようとする課題】
【０００６】
しかしながら、上記従来技術１では、容量制御弁５０が、例えばＣＯ２用の高圧状態で使用された場合、矢印７６で示す透過漏れが発生すると、第３のＯリング７２と第４のＯリング７３との間の間隙部７７に高圧ガスの滞留が生じる可能性がある。高圧ガスの滞留が生じると、第４のＯリング７３の径が第３のＯリング７２の径より大きいため、容量制御弁５０の取り外しの際に、容量制御弁５０が外部に飛び出し、事故につながるという問題があった。
【０００７】
また、上記従来技術２では、端部部材５６にシール部材が一体成形により設けられるため、端部部材５６を製作するモールドの型割り形状に制限が出来、端部部材５６の形状が限定されるという問題があった。
【０００８】
本発明は、上記従来技術の有する問題点を解決するためになされたものであって、容量制御弁の取付孔に外部からの水、ダスト、泥等を含んだ流体（以下、「外部流体」ということがある。）の流入を防止すると共に、高圧ガスの透過漏れに起因する取付孔内の滞留ガス（以下、「内部流体」ということがある。）の外部への排出が可能であり、かつ、製作及び組付けが容易なシール手段を備えた容量制御弁を提供することを目的とするものである。
【課題を解決するための手段】
【０００９】
上記目的を達成するため本発明の容量制御弁は、第１に、
容量可変型圧縮機のケーシングに設けられた取付孔に挿入されて装着される容量制御弁であって、
前記容量制御弁は、少なくとも、容量制御弁のケーシング、前記容量制御弁のケーシングの端部に設けられる端部部材及びシールリップを備え、
前記シールリップは基部及びリップ部を有し、
前記基部は前記端部部材と前記容量制御弁のケーシングとの間に挟着され、
前記リップ部は前記取付孔の内周面に当接されることを特徴としている。
この特徴によれば、容量制御弁の取付孔に外部流体の流入が防止されると共に、高圧ガスの透過漏れに起因する取付孔内における滞留ガス（内部流体）の外部への排出ができ、容量制御弁の取り外しの際に、容量制御弁が外部に飛び出し、事故につながるという問題を解消することができ、かつ、シール手段の製作及び組付けが容易である。また、シールリップは容量制御弁の本体から独立した部材であるため、容量制御弁の本体に一体形成される場合に比べ、容量制御弁の本体の形状の自由度が増大する。
【００１０】
また、本発明の容量制御弁は、第２に、第１の特徴において、前記リップ部の内部側の面は前記容量制御弁のケーシングに接離自在に支持されていることを特徴としている。
この特徴によれば、リップ部の先端の変形を容易にできる。
【００１１】
また、本発明の容量制御弁は、第３に、第１又は第２の特徴において、前記シールリップは断面が略Ｌ字の形状をしていることを特徴としている。
この特徴によれば、Ｌ字のシールリップの一片を嵌着により固定し、他の片をリップとできるので、容量制御弁の円筒形状の外周に沿ってコンパクトに取付けることができる。特に、シールリップの一片をケーシングと端部部材との間に嵌着して取り付ける場合、よりコンパクトに取り付けることができる。
【００１２】
また、本発明の容量制御弁は、第４に、第１ないし第３のいずれかの特徴において、前記リップ部は、前記取付孔の内周面に直交する方向に配設されることを特徴としている。
この特徴によれば、シールリップ嵌着部の構造を特別なものにすることなく取り付けることができる。
【００１３】
また、本発明の容量制御弁は、第５に、第１ないし第３のいずれかの特徴において、前記リップ部は、その先端が前記取付孔の外部側に向くように傾斜して配設され、前記リップ部の傾斜される側の面と前記端部部材の外周部との間に間隙が設けられることを特徴としている。
この特徴によれば、外部流体の圧力を受けるとリップ部の摺動圧が大きくなり、逆に内部流体の圧力を受けるとリップ部の摺動圧が小さくなると同時に変形がされやすくなるため、外部流体の流入を確実に防止できると共に、内部流体の排出を容易にすることができる。
【００１４】
また、本発明の容量制御弁は、第６に、第５の特徴において、前記リップ部の前記外部側に傾斜される側の面には突起が設けられ、前記突起は前記端部部材の外周部に当接されることを特徴としている。
この特徴によれば、突起と端部部材の外周部との当接に起因してリップ部に対して押付力を付加することができるため、外部流体に含まれるダスト及び泥等がリップ部の内方に進入し、堆積することを防止できる。
【００１５】
また、本発明の容量制御弁は、第７に、第１ないし第６のいずれかの特徴において、前記シールリップは、ゴム材料から形成されることを特徴としている。
この特徴によれば、確実にシールすることができ、特に、ケーシングと端部部材との間にシールリップを挟着し、ケーシングをカシメて端部部材と一体化させる場合に、シールリップが緩衝部材としても機能し、カシメ過ぎによる端部部材の損傷を防止することができる。
【発明の効果】
【００１６】
本発明は、以下のような優れた効果を奏する。
（１）容量制御弁の取付孔に外部流体の流入が防止されると共に、高圧ガスの透過漏れに起因する取付孔内における滞留ガス（内部流体）の外部への排出ができ、容量制御弁の取り外しの際に、容量制御弁が外部に飛び出し、事故につながるという問題を解消することができる。かつ、シール手段の製作及び組付けが容易である。また、シールリップは容量制御弁の本体から独立した部材であるため、容量制御弁の本体に一体形成される場合に比べ、容量制御弁の本体の形状の自由度が増大する。
【００１７】
（２）嵌着部は、容量制御弁を構成するケーシングと端部部材との連結部に設けられることにより、シールリップをケーシングと端部部材との連結部を利用して取り付けることができ、シールリップの取り付けのために特別な加工を施す必要がない。
【００１８】
（３）シールリップは断面が略Ｌ字の形状をしていることにより、Ｌ字のシールリップの一片を嵌着により固定し、他の片をリップとできるので、容量制御弁の円筒形状の外周に沿ってコンパクトに取付けることができる。特に、シールリップの一片をケーシングと端部部材との間に嵌着して取り付ける場合、よりコンパクトに取り付けることができる。
【００１９】
（４）リップ部は、取付孔の内周面に直交する方向に配設されることにより、シールリップ嵌着部の構造を特別なものにすることなく取り付けることができる。
【００２０】
（５）リップ部は、その先端が取付孔の外部側に向くように傾斜して配設され、リップ部の傾斜される側の面と外周部との間に間隙が設けられることにより、外部流体の圧力を受けるとリップ部の摺動圧が大きくなり、逆に内部流体の圧力を受けるとリップ部の摺動圧が小さくなると同時に変形がされやすくなるため、外部流体の流入を確実に防止できると共に、内部流体の排出を容易にすることができる。
【００２１】
（６）リップ部の外部側に傾斜される側の面には突起が設けられ、突起は外周部に当接されることにより、突起と外周部外との当接に起因してリップ部に対して押付力を付加することができるため、外部流体に含まれるダスト及び泥等がリップ部の内方に進入し、堆積することを防止できる。
【００２２】
（７）シールリップは、ゴム材料から形成されることにより、確実にシールすることができ、特に、ケーシングと端部部材との間にシールリップを挟着し、ケーシングをカシメて端部部材と一体化させる場合に、シールリップが緩衝部材としても機能し、カシメ過ぎによる端部部材の損傷を防止することができる。
【図面の簡単な説明】
【００２３】
【図１】本発明の実施例１に係る容量制御弁を示す断面図である。
【図２】本発明の実施例１に係るシール手段を説明する図である。
【図３】本発明の実施例２に係るシール手段を説明する図である。
【図４】本発明の実施例３に係るシール手段を説明する図である。
【図５】従来技術の容量制御弁を示す断面図である。
【発明を実施するための形態】
【００２４】
以下に図面を参照して、この発明を実施するための形態を、実施例に基づいて例示的に説明する。ただし、この実施例に記載されている構成部品の寸法、材質、形状、その相対的配置などは、特に明示的な記載がない限り、本発明の範囲をそれらのみに限定する趣旨のものではない。
【実施例１】
【００２５】
図１及び図２を参照して、本発明の実施例１に係る容量制御弁について説明する。
容量制御弁１は、金属材料又は樹脂材料により形成された弁ハウジング１０、弁ハウジング１０内に往復動自在に配置された弁体１５、弁体１５を一方向に付勢する感圧体２０、弁ハウジング１０に接続されて弁体１５に電磁駆動力を及ぼすソレノイド３０等を備えている。
【００２６】
ソレノイド３０は、弁ハウジング１０に連結される金属材料により形成されたケーシング３１、一端部が閉じたスリーブ３２、ケーシング３１及びスリーブ３２の内側に配置された円筒状の固定鉄芯３３、固定鉄芯３３の内側において往復動自在にかつその先端が弁体１５に連結されて連通路１６を形成する駆動ロッド３４、駆動ロッド３４の他端側に固着された可動鉄芯３５、弁体１５を開弁させる方向に可動鉄芯３５を付勢するコイルスプリング３６、スリーブ３２の外側にボビンを介して巻回された励磁用のコイル３７及びケーシング３１の上端開口部を封止するように設けられた端部部材３８等を備えている。
【００２７】
弁ハウジング１０は、吐出側通路として機能するポート１１、１２、１３、弁体１５の連通路１６と共に吸入側通路として機能するポート１３、１４、吐出側通路の途中に形成された第１弁室１７、吸入側通路の途中に形成された第２弁室１８、吐出側通路及び吸入側通路に形成された第３弁室１９等を備えている。
符号Ｐｓは、制御対象である容量可変型圧縮機の吸入圧力、Ｐｄは吐出圧力、Ｐｃは制御室圧力を示している。
【００２８】
弁体１５は、略円筒状に形成されて一端側に第１弁部２５、他端側に第２弁部２６、第１弁部２５を挟んで第２弁部２６と反対側に後付けにより連結された第３弁部２７、その軸線方向において第２弁部２６から第３弁部２７まで貫通し吸入側通路として機能する連通路１６等を備えている。
第３弁部２７は、第１弁室１７から第３弁室１９に向かって縮径した状態から拡径された形状をしており、拡径部においてアダプタ２８と対向するテーパ状の係合面２７ａが形成されている。
【００２９】
感圧体２０は、第３弁室１９内に配置されて、その伸長（膨張）により第１弁部２５を開弁させる方向に付勢力を及ぼすと共に周囲の圧力増加に伴って収縮して第１弁部２５に及ぼす付勢力を弱めるように作動する。
【００３０】
ケーシング３１の上端開口部には、その上端部を内方にカシメることにより円板状のカラー３９及び端部部材３８が固定されている。カラー３９の中央にはスリーブ３２が嵌入されている。スリーブ３２の外側にボビンを介して巻回された励磁用のコイル３７から接続端子４０が延出し、カラー３９を貫通して端部部材３８内の空間に引き出されている。
端部部材３８は、ケーシング３１に内包される部品全体を上方から封止するように取り付けられている。端部部材３８は樹脂成形材からなり、外部電源につながる接続端子４０をモールドし、略円筒状に形成されている。
【００３１】
ケーシング３１の上端部と端部部材３８の下端外周部との間には、ソレノイド３０の内外を気密に保持すると共に、外部流体の浸入を防止するためのシール手段４５が設けられている。
シール手段４５については、後記において詳細に説明する。
【００３２】
上記のように構成された容量制御弁１は、容量可変型圧縮機のケーシング２に形成された取付孔３内に弁ハウジング１０を先にして挿入され、取付孔３の開口端部に取り付けられたＣリング４を、端部部材３８の段部３８ａに係合することにより固定される。その状態において、第１弁室１７、第２弁室１８及び第３弁室１９の各ポート１１、１４及び１３がケーシング２内の冷媒通路に連通される。また、各ポート１１、１４及び１３を区画してシールするため、弁ハウジング１０の凹部に第１のＯリング５及び第２のＯリング６が嵌着されるとともに、ケーシング３１の凹部に第３のＯリング７が嵌着される。
【００３３】
容量制御弁１は、弁ハウジング１０外径＜ケーシング３１の外径＜端部部材３８の外径、の関係となるように、弁ハウジング１０側が細く、端部部材３８側が太く設定されている。取付孔３は、容量制御弁１の形状に概略沿うように、入口側の径が大きく、奥側にいくにつれ段階的に径が小さくされ、取付孔３内に容量制御弁１が弁ハウジング１０側を先にして挿入され易くなっている。シール手段４５の設けられる部分の取付孔３の径Ｄ１は第３のＯリング７の設けられる部分の径Ｄ２より大きい。
【００３４】
一方、容量制御弁１が、例えばＣＯ２用の高圧状態で使用された場合、矢印で示す透過漏れ２９が発生し、第３のＯリング７とシール手段４５との間の間隙部Ｓに高圧ガスの滞留が生じる。滞留する内部流体による力は、第３のＯリング７よりシール手段４５の方が受圧面積が大きいことからシール手段４５の部分に大きく作用する。
【００３５】
次に、図２を参照しながら、シール手段４５について説明する。
シール手段４５は、取付孔３に外部からの水、ダスト、泥等を含んだ外部流体８の流入を防止すると共に、第３のＯリング７の透過漏れ２９に起因する間隙部Ｓに滞留する内部流体２９ａを外部へ排出する役割を有するものであり、取付孔３の入口に近い側に設けられる。
【００３６】
図２において、シール手段４５は、外部流体の取付孔３内への流入を防止するため、取付孔３の入口に近い側であるところのケーシング３１と端部部材３８との連結部に設けられた嵌着部４１に嵌着される。嵌着部４１がケーシング３１と端部部材３８との連結部に設けられる場合、シール手段４５は、従来からソレノイド３０の内部をシールするために設けられたＯリング（例えば、図５の７８参照。）の役割を兼ねることができ、好都合である。
【００３７】
シール手段４５は、シールリップ４６を備えており、該シールリップ４６は断面が略Ｌ字の形状をしている。シールリップ４６の基部４６ａは端部部材３８に形成された凹部３８ｂに嵌入されると共に、ケーシング３１の上端３１ａの内方への加締めにより、端部部材３８の凹部３８ｂとケーシング３１の上端３１ａとの間に挟着されている。シールリップ４６の基部４６ａにより、ソレノイド３０の内部をシールすることができる。
また、シールリップ４６のリップ部４６ｂは取付孔３の内周面に直交する方向に配設され、内周面に適度な押圧力で持って当接されている。リップ部４６ｂは外部流体が取付孔３内へ流入するのを防止するためのものである。
シールリップ４６は、ゴム材料から形成されるのが好ましい。
【００３８】
図２において、端部部材３８の外径はケーシング３１の外径より大きいため、嵌着部４１には段部が形成されており、シールリップ４６のリップ部４６ｂの外部側の面（図２における上面）は段部に当接して支持されると共に、内部側の面（図２における下面）はケーシング３１の上端３１ａの端部に接離自在に支持されている。
【００３９】
本実施例の場合、ケーシング３１と端部部材３８との連結部に特別な加工を施すことなくシールリップ４６を装着することができるという利点を有する反面、間隙部Ｓ内に滞留する内部流体２９ａの圧力によるリップ部４６ｂの変形可能な領域が端部部材３８の外面と取付孔３の内面との隙間ｄと小さいため、リップ部４６ｂの先端を変形しやすいようにする必要がある。
【００４０】
実施例１の容量制御弁１は上記したような構成を有し、以下のような顕著な効果を奏する。
（１）容量制御弁１の取付孔３に外部流体の流入が防止されると共に、高圧ガスの透過漏れに起因する取付孔内における滞留ガス（内部流体）の外部への排出ができ、容量制御弁１の取り外しの際に、容量制御弁１が外部に飛び出し、事故につながるという問題を解消することができる。
（２）シール手段４５の製作及び組付けが容易である。
（３）シールリップ４６は容量制御弁１の本体から独立した部材であるため、容量制御弁１の本体に一体形成される場合に比べ、容量制御弁１の本体の形状の自由度が増大する。
（４）ケーシング３１と端部部材３８との連結部に特別な加工を施すことなくシールリップ４６を装着することができる。
（５）シールリップ４６は、ゴム材料から形成されることにより、確実にシールすることができ、特に、ケーシング３１と端部部材３８との間にシールリップ４６を挟着し、ケーシング３１をカシメて端部部材３８と一体化させる場合に、シールリップ４６が緩衝部材としても機能し、カシメ過ぎによる端部部材３８の損傷を防止することができる。
【実施例２】
【００４１】
図３を参照しながら、本発明の実施例２について説明する。
実施例２は、シールリップの形状が異なる点で実施例１と相違するが、その他の点では実施例１と基本的に同じであり、実施例１と同じ部材には同じ符号を付し、重複する説明は省略する。
【００４２】
図３において、シールリップ４７の基部４７ａは、端部部材３８に形成された凹部３８ｂに嵌入されると共に、ケーシング３１の上端３１ａの内方への加締めにより、端部部材３８の凹部３８ｂとケーシング３１の上端３１ａとの間に挟着されている。
シールリップ４７のリップ部４７ｂは、その先端が取付孔３の外部側に向くように傾斜して配設され、リップ部４７ｂの傾斜される側の面４７ｃと端部部材３８の外周部３８ｃとの間には間隙が設けられている。すなわち、シールリップ４７のリップ部４７ｂは取付孔３の外部側に向けて傾斜されている。このため、端部部材３８の外周部３８ｃは外径側が取付孔３の外部側に向くように傾斜して形成されている。
【００４３】
リップ部４７ｂの先端が取付孔３の外部側に向くように傾斜して配設されているため、シールリップ４７のリップ部４７ｂは、外部流体８の圧力を受けると摺接部４７ｄの接触圧力が増大し、逆に、間隙部Ｓ内に滞留する内部流体２９ａの圧力を受けると摺接部４７ｄの接触圧力が減少する。また、リップ部４７ｂの傾斜される側の面４７ｃと端部部材３８の外周部３８ｃとの間には間隙が設けられているため、リップ部４７ｂは、ほぼ全面に外部流体８の圧力を受け、接触圧力が増大する方向に容易に変形し、逆に、リップ部４７ｂは、内部流体２９の圧力により接触圧力が減少する方向に容易に変形することができる。
以上のように、外部流体８は浸入しずらく、内部流体２９は排出されやすい構造となっている。
【００４４】
実施例２の容量制御弁１は上記したような構成を有し、以下のような顕著な効果を奏する。
（１）容量制御弁１の取付孔３に外部流体の流入が防止されると共に、高圧ガスの透過漏れに起因する取付孔内における滞留ガス（内部流体）の外部への排出ができ、容量制御弁１の取り外しの際に、容量制御弁１が外部に飛び出し、事故につながるという問題を解消することができる。
（２）シール手段４５の製作及び組付けが容易である。
（３）シールリップ４７は容量制御弁１の本体から独立した部材であるため、容量制御弁１の本体に一体形成される場合に比べ、容量制御弁１の本体の形状の自由度が増大する。
（４）外部流体８は浸入しずらく、内部流体２９ａは排出されやすい。
【実施例３】
【００４５】
図４を参照しながら、本発明の実施例３について説明する。
実施例３は、シールリップに突起が設けられている点で実施例２と相違するが、その他の点では実施例２と基本的に同じであり、実施例２と同じ部材には同じ符号を付し、重複する説明は省略する。
【００４６】
図４において、シールリップ４８の基部４８ａは、端部部材３８に形成された凹部３８ｂに嵌入されると共に、ケーシング３１の上端３１ａの内方への加締めにより、端部部材３８の凹部３８ｂとケーシング３１の上端３１ａとの間に挟着されている。
シールリップ４８のリップ部４８ｂの先端が取付孔３の外部側に向くように傾斜して配設され、リップ部４８ｂの外部側に傾斜される側の面４８ｃには突起４９が設けられ、突起４９は端部部材３８の外周部３８ｃに当接されるようになっている。
【００４７】
リップ部４８ｂの先端が取付孔３の外部側に向くように傾斜して配設されているため、シールリップ４７のリップ部４８ｂは、外部流体８の圧力を受けると摺接部４８ｄの接触圧力が増大し、逆に、内部流体２９の圧力を受けると摺接部４８ｄの接触圧力が減少する。また、リップ部４８ｂの傾斜される側の面４８ｃには突起４９が設けられ、突起４９は端部部材３８の外周部３８ｃに当接されるようになっているため、突起４９と外周部３８ｃとの当接に起因してリップ部４８ｂに対して押付力を付加することができるため、外部流体８がリップ部４８ｂの内方に進入し、堆積することを防止できる。
【００４８】
実施例３の容量制御弁１は上記したような構成を有し、以下のような顕著な効果を奏する。
（１）容量制御弁１の取付孔３に外部流体の流入が防止されると共に、高圧ガスの透過漏れに起因する取付孔内における滞留ガス（内部流体）の外部への排出ができ、容量制御弁１の取り外しの際に、容量制御弁１が外部に飛び出し、事故につながるという問題を解消することができる。
（２）シール手段４５の製作及び組付けが容易である。
（３）シールリップ４８は容量制御弁１の本体から独立した部材であるため、容量制御弁１の本体に一体形成される場合に比べ、容量制御弁１の本体の形状の自由度が増大する。
（４）外部流体８は浸入しずらく、内部流体２９ａは排出されやすい。
（５）外部流体８がリップ部４８ｂの内方に進入し、堆積することを防止できる。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、前記実施例では、シール手段４５は、ケーシング３１と端部部材３８との連結部に設けられた嵌着部４１に嵌着される場合を例にして説明しているが、これは好都合ではあるが、必ずしもこれに限らず、取付孔３の入口に近い部分であればよい。
【００５１】
また、例えば、前記実施例では、シールリップは断面が略Ｌ字の形状の場合を説明したが、これに限らず、例えば、Ｕ字、Ｖ字、Ｙ字あるいはＪ字の形状でもよい。
【００５２】
また、例えば、前記実施例では、シールリップがゴム材料から形成される場合について説明したが、これに限らず、例えば、樹脂製であってもよい。
【符号の説明】
【００５３】
１        容量制御弁
２      容量可変型圧縮機のケーシング
３        取付孔
４        Ｃリング
５        第１のＯリング
６        第２のＯリング
７        第３のＯリング
８        外部流体
１０      弁ハウジング
１１      ポート
１２      ポート
１３      ポート
１４      ポート
１５      弁体
１６      連通路
１７      第１弁室
１８      第２弁室
１９      第３弁室
２０      感圧体
２５      第１弁部
２６      第２弁部
２７      第３弁部
２８      アダプタ
２９      透過漏れ
２９ａ    透過漏れに起因する内部流体
３０      ソレノイド
３１      ケーシング
３１ａ    上端
３２      スリーブ
３３      固定鉄芯
３４      駆動ロッド
３５      可動鉄芯
３６      コイルスプリング
３７      励磁用のコイル
３８      端部部材
３８ａ    段部
３８ｂ    凹部
３９      カラー
４０      接続端子
４１      嵌着部
４５      シール手段
４６、４７、４８      シールリップ
４６ａ、４７ａ、４８ａ      基部
４６ｂ、４７ｂ、４８ｂ      リップ部
４９      突起
Ｐｄ      吐出圧力
Ｐｓ      吸入圧力
Ｐｃ      制御室圧力
【図１】
0006618165.tif 000002
【図２】
0006618165.tif 000003
【図３】
0006618165.tif 000004
【図４】
0006618165.tif 000005
【図５】
0006618165.tif 000006